(57)【要約】【課題】  シート状食品と主食品とを互いに非接触状態で気体と共に封入可能な食品用包装袋を提供する。【解決手段】  シート状食品２を主食品３に巻き付けて食す食品を包装する包装部材Ｐを、シート状食品２を収納した状態で主食品３を包む分離可能な第１袋状体１と、シート状食品２を収納した第１袋状体１に包まれた主食品３を気体Ａと共に完全密封状態で封入して収納する第２袋状体４とから構成する。【選択図】        図１
2005247374.tif 000002
【特許請求の範囲】
【請求項１】
シート状食品を主食品に巻き付けて食す食品を包装する包装部材が、前記シート状食品を収納した状態で前記主食品を包む分離可能な第１袋状体と、シート状食品を収納した第１袋状体に包まれた主食品を気体と共に完全密封状態で封入して収納する第２袋状体とから構成されている食品用包装袋。
【請求項２】
前記包装部材の開封において、外側の第２袋状体の開封操作に伴って、第２袋状体内に収納されている第１袋状体が分離してシート状食品及び主食品から離脱する構成にしてある請求項１記載の食品用包装袋。
【請求項３】
前記第２袋状体の開封操作により、第１袋状体及び第２袋状体がそれぞれ２つの分離部に分離されるとともに、
前記第２袋状体の各分離部の少なくとも一部が、それに対応する前記第１袋状体の各分離部と固着されている請求項２記載の食品用包装袋。
【請求項４】
前記第２袋状体に、第２袋状体の後面側又は前面側に折り曲げられた下方側端部とそれに重合する状態で折り畳まれた第２袋状体の左右の側面部との重合部分を固着することで、前記包装部材を自立させるための広幅底部を形成してある請求項１〜３のいずれか１項に記載の食品用包装袋。
【請求項５】
前記下方側端部と共に広幅底部を構成する前記重合部分が、第２袋状体に収納されている前記第１袋状体の各分離部の一部を折り込んだ状態で固着されている請求項４記載の食品用包装袋。
【請求項６】
前記重合部分が、前記第２袋状体を引き裂き開封するための開封操作部である請求項４又は５記載の食品用包装袋。
【請求項７】
前記第２袋状体の下方側端部に、第２袋状体を上下方向に引き裂き開封するための切込みが形成されている請求項６記載の食品用包装袋。
【請求項８】
前記第１袋状体が少なくとも外側の合成樹脂層が熱融着可能な熱可塑性樹脂から構成されているフィルムから形成されているとともに、
前記第２袋状体が少なくとも内側の合成樹脂層が熱融着可能な熱可塑性樹脂から構成されているフィルムから形成されている請求項３〜７のいずれか１項に記載の食品用包装袋。
【請求項９】
前記第１袋状体が、シート状食品を収納した状態で２つの分離部を部分的に固着することで形成されている請求項３〜８のいずれか１項に記載の食品用包装袋。
【請求項１０】
前記第１袋状体が、シート状食品を収納し、かつ、主食品を包んだ状態で、主食品に接する側の第１袋状体の内側面どうしを部分的に固着してある請求項１〜９のいずれか１項に記載の食品用包装袋。
【請求項１１】
前記第２袋状体内に封入した気体の圧力上昇のために、第２袋状体の前後で相対向する内側面どうしの一部を貼着してある請求項１〜１０記載の食品用包装袋。
【発明の詳細な説明】
【技術分野】
【０００１】
本発明は、食品を収納して包装する包装袋に関する。
【背景技術】
【０００２】
従来の食品用包装袋は、少なくとも表裏の合成樹脂層が熱融着可能な熱可塑性樹脂から構成されているフィルムで形成されている矩形の１つの袋状体からなり、袋状体は、左右方向に破断分離可能で、シート状食品であるシート状海苔を収納し三角形状に形成された主食品であるおにぎりに対して密着させた状態で包み込むと共に、おにぎりの背面で重なる袋状体の角部をシール部材で貼着固定し、更に、三角形状になった袋状体の各頂点部分を熱融着で封着して、おにぎりを包んでいた（例えば、特許文献１参照。）。そして、開封するときは、３つの頂点のうちの１つの頂点部分からその対角線に対して垂直に設けられているカットテープを引いて袋状体を分断し、残り２つの頂点部分を開封操作部として袋状体をシート状海苔及びおにぎりから分離させて、シート状海苔とおにぎりとを一体にする構成にしてある。
また、本願発明のようにシート状食品を巻装させた主食品と共に気体を収納した従来の食品用包装袋としては、シート状食品である海苔を巻装させた主食品であるおにぎりを袋状体に収納して、おにぎりを入れた開口を脱気せずに折り畳んでシール部材を貼着して封をしたものがあり、これを開封するには、熱融着してある袋状体の上方端部に形成されている切込みから上下方向に引き裂いておにぎりを取り出す構成にしてある。
【特許文献１】特開２００２―１６５５７３
【発明の開示】
【発明が解決しようとする課題】
【０００３】
しかしながら、従来の食品用包装袋であると、三角形状のおにぎりにシート状海苔を収納した袋状体を密着させたものだと、シート状海苔のおにぎりからの吸湿を防止でき、シート状海苔の乾燥状態を維持することができるものの、気体を保持する構成がなく、特におにぎりやパン等の空気の含有率が味覚に影響する食品において、その空気含有率を向上させることができず、空気含有率の高いふっくらとした食品を提供することができず、また、好気性菌やカビ等の発生や酸化及び変退色を防止するための二酸化炭素又は窒素と二酸化炭素の混合ガス等の不活性ガスも封入することもできなかった。
逆に、海苔を巻装したおにぎりと共に空気を収納した構成のものだと、海苔が既におにぎりに巻装されているため、おにぎりからの吸湿により乾燥した状態の海苔を巻装させておにぎりを食することができなかった。また、空気を収納しているが、袋状体が完全密封されていないので、外圧がかかると空気が袋状体から脱気してしまい、所定量の空気を袋状体内に維持することができなかった。
この実情に鑑み、本発明の主たる課題は、合理的な改良をもって上記問題を効果的に解消する点にある。
【課題を解決するための手段】
【０００４】
本発明の第１特徴構成は、包装袋に係り、その特徴は、
シート状食品を主食品に巻き付けて食す食品を包装する包装部材が、前記シート状食品を収納した状態で前記主食品を包む分離可能な第１袋状体と、シート状食品を収納した第１袋状体に包まれた主食品を気体と共に完全密封状態で封入して収納する第２袋状体とから構成されている点にある。
【０００５】
つまり、シート状食品及び主食品と共に気体を袋状体（第２袋状体）に封入すると、例えば、主食品がおにぎりやパンである場合は、封入する気体として空気を封入することで、それら主食品を気体含有率の高いふっくらとしたものにでき、また、封入気体として不活性ガスを封入すると、好気性菌やカビ等の発生の防止、酸化及び変退色防止、香気保存等が一層良好となり、衛生面においてより安全性の高いものにすることができる。また、気体を封入することで、袋状体（第２袋状体）内に空間が形成されるので、袋状体（第２袋状体）内の食品が外圧により押し潰されたりするのを効果的に抑止することもできる。
そして、このようにシート状食品及び主食品と共に気体を密封状態で収納している第２袋状体内において、第１袋状体でシート状食品を収納する二重袋構造にすることで、シート状食品と主食品とが直に接触することを防止して、シート状食品から主食品又は主食品からシート状食品に湿気や香気等が移ることを抑止し、また、シート状食品と主食品とが直に接触することを防止するのに、ただ単に、シート状食品と主食品との間にフィルムを配置するのではなく、シート状食品を袋状体（第１袋状体）に収納することで、一層シート状食品及び主食品の湿気や香気等がお互いに移ること抑止することができる。つまり、例えば、シート状食品が海苔で主食品がおにぎりである場合、この構成にすることで、乾燥した状態の海苔とおにぎりとが直に接触することによる海苔の吸湿、及び、密封されている第２袋状体内に充満するおにぎりからの湿気による海苔の吸湿を効果的に抑制することができ、より確実に海苔を乾燥した状態に保つことができる。
【０００６】
本発明の第２特徴構成は、第１特徴構成の実施において好適な構成であり、その特徴は、
前記包装部材の開封において、外側の第２袋状体の開封操作に伴って、第２袋状体内に収納されている第１袋状体が分離してシート状食品及び主食品から離脱する構成にしてある点にある。
【０００７】
つまり、この構成であれば、第１袋状体と第２袋状体との二重構造になっている包装部材であっても、第２袋状体を開封操作するだけで、第１袋状体も分離してシート状食品及び主食品から離脱するので、第２袋状体を開封し、その後第１袋状体を分離させてシート状食品及び主食品から離脱させるといった２段階操作を必要とせず、容易でかつ迅速に包装部材を開封することができ、シート状食品を主食品に巻き付けた食時形態を形成することができる。
【０００８】
本発明の第３特徴構成は、第２特徴構成の実施において好適な構成であり、その特徴は、
前記第２袋状体の開封操作により、第１袋状体及び第２袋状体がそれぞれ２つの分離部に分離されるとともに、
前記第２袋状体の各分離部の少なくとも一部が、それに対応する前記第１袋状体の各分離部と固着されている点にある。
【０００９】
つまり、この構成であれば、第２袋状体を開封することで形成される第２袋状体の各分離部の内側面の少なくとも一部と、それに対応する第１袋状体の各分離部の外面側とが固着されているので、第２袋状体の開封操作をするだけで、第１袋状体及び第２袋状体それぞれの分離部が分離し、第１袋状体の両分離部がシート状食品及び主食品から離脱する。
すなわち、第２袋状体の開封操作だけで、容易でかつ迅速に包装部材を開封することができ、シート状食品を主食品に巻き付けた食時形態を形成することができる。
【００１０】
本発明の第４特徴構成は、第１〜３特徴構成のいずれか１つの実施において好適な構成であり、その特徴は、
前記第２袋状体に、第２袋状体の後面側又は前面側に折り曲げられた下方側端部とそれに重合する状態で折り畳まれた第２袋状体の左右の側面部との重合部分を固着することで、前記包装部材を自立させるための広幅底部を形成してある点にある。
【００１１】
つまり、この構成であれば、第２袋状体の後面側又は前面側に折り曲げられた下方側端部と、それに重合する状態で折り畳まれた左右の側面部との重合部分を固着して広幅底部を形成することで、第２袋状体の下方側端部が広幅底部と重合して広幅底部に強度（剛性）を付与してあるので、気体を封入した状態で第１袋状体に収納されたシート状食品及び主食品を収納しても型崩れすることない自立可能な包装部材にすることができる。
【００１２】
本発明の第５特徴構成は、第４特徴構成の実施において好適な構成であり、その特徴は、
前記下方側端部と共に広幅底部を構成する前記重合部分が、第２袋状体に収納されている前記第１袋状体の各分離部の一部を折り込んだ状態で固着されている点にある。
【００１３】
つまり、第２袋状体の開封操作に伴って第１袋状体をシート状食品及び主食品から離脱させるために、第２袋状体の開封操作により分離される第１の各分離部とそれに対応する第２袋状体の各分離部とを、包装部材を自立可能にする広幅底部を下方側端部と共に構成する第２袋状体の重合部分に第１袋状体の各分離部の一部を折り込むことで固着してあるので、第１袋状体の分離部と第２袋状体の分離部とを固着するための特別の固着行程を必要とせず、これによって、製造コストの面で有利にすることができる。
【００１４】
本発明の第６特徴構成は、第５特徴構成の実施において好適な構成であり、その特徴は、
前記重合部分が、前記第２袋状体を引き裂き開封するための開封操作部である点にある。
【００１５】
つまり、この構成であれば、第１袋状体の各分離部の一部を折り込んだ状態で、第２袋状体の左右両側の下端部分に形成されてある重合部分を、第２袋状体を引き裂き開封するための開封操作部にすることで、開封時に第１袋状体の分離部と第２袋状体の分離部とを固着させてある重合部分を摘んで引き裂き操作することにより、第１袋状体の分離部と第２袋状体の分離部とが確実に固着された状態で、容易でかつ迅速に包装部材を引き裂き開封し、シート状食品を主食品に巻き付けた食時形態を形成することができる。
【００１６】
本発明の第７特徴構成は、第６特徴構成の実施において好適な構成であり、その特徴は、
前記第２袋状体の下方側端部に、第２袋状体を上下方向に引き裂き開封するための切込みが形成されている点にある。
【００１７】
つまり、この構成であれば、第２袋状体の下方側端部に切込みを形成することで、切込みにより第２袋状体の上下方向への引き裂き開封を容易にすることができ、また、切込みの形成位置が第２袋状体の下方側端部であるため、第２袋状体の開封操作部である重合部分が第２袋状体の左右両側の下端部分に形成されていることと相俟って、より一層容易に包装部材を開封することができる。
【００１８】
本発明の第８特徴構成は、第３〜第７特徴構成のいずれか１つの特徴構成の実施において好適な構成であり、その特徴は、
前記第１袋状体が少なくとも外側の合成樹脂層が熱融着可能な熱可塑性樹脂から構成されているフィルムから形成されているとともに、
前記第２袋状体が少なくとも内側の合成樹脂層が熱融着可能な熱可塑性樹脂から構成されているフィルムから形成されている点にある。
【００１９】
つまり、この構成であれば、第１袋状体の少なくとも外側面と第２袋状体の少なくとも内側面とが熱融着可能な熱可塑性樹脂から構成されているので、第２袋状体内に第１袋状体に収納されたシート状食品と主食品と気体とを、第２袋状体の開口を加熱して熱融着させるだけで完全密封状態に収納することができ、また、第１袋状体と第２袋状体とを熱融着するだけで固着することができるので、接着剤やその接着剤がシート状食品及び主食品に付着しないように接着剤を第１袋状体の外側又は第２袋状体の内側の所定の位置に塗布して両袋状体を固着させるといった特別な手段を必要とせず、所定の箇所を加熱するだけで第１袋状体の一部と第２袋状体の一部とを固着することができる。
【００２０】
本発明の第９特徴は、第３〜第８特徴構成のいずれか１つの特徴構成の実施において好適な構成であり、その特徴は、
前記第１袋状体が、シート状食品を収納した状態で２つの分離部を部分的に固着することで形成されている点にある。
【００２１】
つまり、この構成であれば、第１袋状体にシート状食品を収納した状態で２つの分離部を固着することで、シート状食品が露出することなく、第１袋状体内に収納された状態を維持することができ、また、２つの分離部の固着を部分的にしてあるので、第１袋状体の分離の妨げになることなく、第２袋状体の開封操作に伴って第１袋状体も容易に分離することができる。
【００２２】
本発明の第１０特徴は、第１〜第９特徴構成のいずれか１つの特徴構成の実施において好適な構成であり、その特徴は、
前記第１袋状体が、シート状食品を収納し、かつ、主食品を包んだ状態で、主食品に接する側の第１袋状体の内側面どうしを部分的に固着してある点にある。
【００２３】
つまり、この構成であれば、シート状食品を収納した第１袋状体で主食品を包んだときに主食品と接当する第１袋状体の内側面どうしを部分的に固着することで、第１袋状体に収納されたシート状食品に対する主食品の位置を所望の位置から移動することなく配置させることができるので、包装部材を開封し第１袋状体をシート状食品及び主食品から分離させるだけで、容易かつ迅速にシート状食品を主食品に対し最も好ましい所望位置に巻き付けた食時形態にすることができる。
【００２４】
本発明の第１１特徴は、第１〜第１０特徴構成のいずれか１つの特徴構成の実施において好適な構成であり、その特徴は、
前記第２袋状体内に封入した気体の圧力上昇のために、第２袋状体の前後で相対向する内側面どうしの一部を貼着してある点にある。
【００２５】
つまり、この構成であれば、第２袋状体の前後で相対向する内側面どうしの一部を貼着して第２袋状体内の封入気体の圧力を上昇させることで、密封状態で高圧の気体が封入された状態となるため、外部から多少圧力がかかっても第２袋状体内の主食品が押し潰れたりすることがなく、また、例えば、主食品がおにぎりで、封入気体が空気であると、第２袋状体内に収納されたおにぎりの米粒間の隙間を確実に維持することができるので、より一層空気含有率の高い、ふっくらとした状態のおにぎりを消費者に提供することができる。
【発明を実施するための最良の形態】
【００２６】
図１〜図７は、本発明の実施形態である包装部材Ｐを用いた食品を示し、１はシート状食品であるシート状の海苔２を収納する熱融着可能な熱可塑性のポリエステルフィルムからなる第１袋状体で、左右に分離可能な分離部１Ａ，１Ｂから構成されており、それら両分離部１Ａ，１Ｂが１枚の海苔２を収納した状態で、それら分離部１Ａ，１Ｂどうしが重合する両分離部１Ａ，１Ｂの中央上下端部分をスポット加熱して部分的に熱融着することで、両分離部１Ａ，１Ｂを固着して海苔２を収納した第１袋状体１を形成している。
Ｈ１は第１袋状体１の両分離部１Ａ．１Ｂをスポット加熱して形成した第１熱融着部分である。
【００２７】
第１袋状体１は、海苔２を収納した状態で主食品として三角形状のおにぎり３を側面視Ｕの字形状に包み、おにぎり３の周囲において、第１袋状体１の内側面１ａどうしを重合させた状態で、その重合部分における２箇所をスポット加熱して熱融着することにより、おにぎり３と接する第１袋状体１の内側面１ａどうしを部分的に固着してあって、これら第２熱融着部分Ｈ２により、海苔２を収納した第１袋状体１とおにぎり３との相対移動を抑制することができるので、第１袋状体１を分離させたとき、自動的に海苔２がおにぎり３に対して最も好ましい所望位置に巻き付いた形態となる。
【００２８】
４はおにぎり３を包んだ海苔２を収納している第１袋状体１を気体である空気Ａと共に完全密封状態で収納する第２袋状体で、側面視Ｕの字形状におにぎり３を包んでいる第１袋状体１は、側面視Ｕの字形状の曲がり部分が第２袋状体４の下部に対応するように収納されている。
【００２９】
第２袋状体４は、内側面が熱融着可能な熱可塑性のポリエステルフィルム４ａで、外側面が熱融着可能な熱可塑性のレーヨン繊維からなる薄状の不織布４ｂであるラミネートフィルムから形成されている。
【００３０】
第２袋状体４は、筒状の包装フィルムの上側開口と下側開口とを熱融着で封着して形成されており、その熱融着による上下両開口を封着することで、帯状の上方側端部５ａと下方側端部５ｂとが形成されている。
【００３１】
そして、第２袋状体４の下方側端部５ｂの端縁には、第２袋状体４を引き裂いて開封するための切込み６が形成されている。
【００３２】
Ｓは海苔２を収納した第１袋状体１とおにぎり３とを空気Ａと共に収納する第２袋状体４の食品収納空間で、食品収納空間Ｓと上方側端部５ａとの間には、第２袋状体４を熱融着にて封着した後に、食品収納空間Ｓ内の空気Ａの圧力を上昇させるために、第２袋状体４において相対向する内側面４ａどうしを熱融着した熱融着部７が設けられている。
つまり、第２袋状体４に熱融着部７を設けることにより、密封状態にある第２袋状体４の食品収納空間Ｓが小さくなるので、第２袋状体４内に封入されている空気Ａの圧力を上昇させることができる。
なお、食品収納空間における空気圧は、１，０１４ｈＰａ〜３，０３９ｈＰａの範囲内に維持されるように設定されており、好ましくは１，６２１ｈＰａ〜２，２２８ｈＰａの範囲内の空気圧で封入される。
【００３３】
これによって、第２袋状体４内に収納されたおにぎり３の米粒間の隙間を確実に維持することができるので、より一層空気含有率の高い、ふっくらとした状態のおにぎり３を消費者に提供することができる。
【００３４】
８は第２袋状体４を自立可能にする広幅底部で、第２袋状体４の後面側（筒状の包装フィルムにおける上下方向に沿った帯状の融着片Ｑを有する面）に折り曲げられた下方側端部５ｂと、その下方側端部５ｂとそれに連続する側面部４ｃ，４ｄの一部とを重合状態で折り畳んだ重合部分Ｍとから形成されていて、第２袋状体４の両側面部４ｃ，４ｄの下端に形成されるそれら重合部分Ｍの下方側端部５ｂと側面部４ｃ，４ｄとの間に、海苔２を収納し側面視Ｕの字形状におにぎり３を包んでいる第１袋状体１を構成する各分離部１Ａ，１Ｂの曲がり部分の外側部Ｄを折り込んだ状態で、熱融着により固着されている。
すなわち、この熱融着した重合部分Ｍにおいて、第１袋状体の分離部と第２袋状体の分離部とが固着されている構成となっている。
【００３５】
そして、重合部分Ｍは第２袋状体４の開封操作における開封操作部として機能し、第２袋状体４の下方側端部５ｂに形成されている切込み６から引き裂くことで、下方側端部５ｂを切り、その後、両重合部分Ｍを分離させる方向（左右方向）に引くことで、第２袋状体４が引き裂き開封され、第２袋状体４の分離部４Ａ，４Ｂが分離するのに伴って、第１袋状体１の両分離部１Ａ，１Ｂを固着している第１熱融着部分Ｈ１自体の破断又は剪断、若しくは、第１熱融着部Ｈ１周囲のフィルムの破断により、第１熱融着部分Ｈ１による固着機能が解除され、第１袋状体１は各分離部１Ａ，１Ｂに分離して、第１袋状体１に収納されていた海苔２とその第１袋状体１に包まれていたおにぎり３とから離脱する。
すなわち、第２袋状体４の開封操作において、開封操作部である重合部分Ｍを左右方向に引き、第２袋状体４の分離部４Ａ，４Ｂを左右方向に分離開封することで、その重合部分Ｍに折り込まれている第１袋状体１の分離部１Ａ，１Ｂの曲がり部分の外側部Ｄが左右方向に引っ張られて、収納していた海苔２及び側面視Ｕの字形状に包んでいたおにぎり３から離脱することで、容易でかつ迅速におにぎり３に海苔２を巻き付けた食時形態にすることができ、更に、おにぎり３を包んだ第１袋状体１の遊端部どうしを重合させた状態でその重合部分における２箇所をスポット加熱して熱融着してあるので、開封したときに海苔２がおにぎり３に対し最も好ましい所望位置に巻き付けた形態にすることができる。
【００３６】
以上、この構成にすれば、空気Ａを第２袋状体内に完全密封状態で封入してあるので、おにぎり３の米粒間の隙間を維持した空気含有率の高い状態のまま包装することができるので、ふっくらとした状態のおにぎり３にすることができるとともに、海苔２及びおにぎり３と共に空気Ａを密封状態で収納している第２袋状体４内において、第１袋状体１で海苔２を収納する二重袋構造にすることで、海苔２とおにぎり３とが直に接触することを防止して、おにぎり３から海苔２に湿気が移ることを抑止し、また、海苔２を第１袋状体１に収納してあるので、密封されている第２袋状体４内に充満するおにぎり３からの湿気による海苔２の吸湿を効果的に抑制することができ、より確実に海苔２を乾燥した状態に保つことができる。
【００３７】
そして、第２袋状体４の下方側端部５ｂが広幅底部８と重合して広幅底部８に強度を付与し、空気Ａを封入した状態で海苔２を収納した第１袋状体１に包まれたおにぎり３を収納しても型崩れしたりすることなく、包装部材を自立させることができる。
【００３８】
また、その広幅底部８を形成し、かつ、第２袋状体を開封するための開封操作部である第２袋状体４の重合部分Ｍが、側面視Ｕの字形状におにぎり３を包んでいる第１袋状体１を構成する各分離部１Ａ，１Ｂの曲がり部分の外側部Ｄを折り込んだ状態で、熱融着により固着されているので、切込み６から第２袋状体４を切り込んだ後、重合部分Ｍを左右方向に引っ張ることで、第２袋状体４の開封操作と共に第１袋状体１が、収納していた海苔２及び包んでいたおにぎり３から離脱するので、容易でかつ迅速におにぎり３に海苔２を巻き付けた食時形態にすることができる。
【００３９】
〔別実施形態〕
次に別実施形態を列記する。
【００４０】
上記実施形態では、包装部材で包むシート状食品を海苔２、主食品をおにぎり３としたが、これに限るものではなく、例えば、シート状食品がチーズで、主食品がパンであるように、種々の食品であってもよい。
【００４１】
また、主食品であるおにぎり３の形状を三角形状にしてあったが、これに限るものではなく、主食品は種々の形状であってもよい。
【００４２】
上記実施形態では、第１袋状体１において、第１袋状体１を構成する熱可塑性のポリエステルフィルムからなる両分離部１Ａ，１Ｂが重合する左右方向の中央上下端部をスポット加熱して熱融着した第１熱融着部分Ｈ１を設けて、両分離部１Ａ，１Ｂを固着したが、その固着方法としては熱融着に限るものではなく、また、これら両分離部１Ａ，１Ｂを固着しない構成であっても構わない。
【００４３】
そして、上記実施形態では、第１袋状体１の内側面１ａどうしを重合させた状態でその重合部分における２箇所をスポット加熱して熱融着した第２熱融着部分Ｈ２を設けて、第１袋状体１内の海苔２がおにぎり３に対し所望位置に位置するように包んだ状態を維持する構成にしていたが、第２熱融着部分Ｈ２の位置や数はこれに限るものではなく、また、その固着方法としては熱融着に限るものではない。そしてまた、第１袋状体の内側面どうしを固着しない構成であってもよい。
【００４４】
上記実施形態では、包装部材Ｐを自立させるために第２袋状体４に広幅底部８を形成したが、広幅底部８を形成していないものであってもよい。
【００４５】
そして、第２袋状体３を封着、第２袋状体４の下方側端部５ｂ及び側面部４ｃ，４ｄを折り込んだ重合部分Ｍ固着、第１袋状体１の分離部１Ａ，１Ｂどうしの固着における固着方法として熱融着を用いたがこれに限るものではなく、接着剤を用いて封着又は固着する構成であってもよい。
【００４６】
上記実施形態では、第１袋状体１の分離部１Ａ，１Ｂと第２袋状体４の分離部４Ａ，４Ｂとを固着するのに、第１袋状体１における分離部１Ａ，１Ｂの曲がり部分の外側部Ｄを、第２袋状体４に形成された広幅底部８を構成する重合部分Ｍに折り込んだ状態で固着していたが、これに限るものではなく、種々の方法で固着してもよい。
【００４７】
上記実施形態では、第２袋状体内に封入した気体が空気Ａであったが、気体は空気Ａ以外にも窒素、二酸化炭素、酸素や窒素と二酸化炭素の混合ガス等の種々の気体を封入目的に応じて封入することができる。
【００４８】
上記実施形態では、第２袋状体３内の空気Ａの圧力を上昇させるために、第２袋状体３の上方側封着端部４に連続する部位を熱融着して熱融着部７を形成したが、熱融着部７を形成しなくてもよい。
【００４９】
上記実施形態では、第２袋状体４を開封するための切込み６が第２袋状体４の下方側端部５ｂに形成されていたが、切込み６の形成位置はこれに限るものではなく、上方側端部５ａに形成してもよい。
その場合、開封操作部を第２袋状体４の上方部分に別途設ける構成にするのが望ましい。
【図面の簡単な説明】
【００５０】
【図１】本発明の実施形態である包装部材で包装した食品を示す斜視図
【図２】正面図
【図３】ｉｉｉ−ｉｉｉ部分の拡大端面図
【図４】ｉｖ−ｉｖの拡大端面図
【図５】底面図
【図６】第１袋状体の展開平面図
【図７】包装部材の開封操作時を示す斜視図
【符号の説明】
【００５１】
１        第１袋状体
１Ａ      第１袋状体の分離部
１Ｂ      第１袋状体の分離部
１ａ      第１袋状体の内側面
２        シート状食品
３        主食品
４        第２袋状体
４Ａ      第２袋状体の分離部
４Ｂ      第２袋状体の分離部
４ａ      第２袋状体の内側面
４ｂ      第２袋状体の外側面
５ｂ      下方側端部
６        切込み
８        広幅底部
Ａ        気体
Ｄ        第１袋状体の分離部の一部
Ｍ        重合部分
Ｐ        包装部材
【図１】
2005247374.tif 000003
【図２】
2005247374.tif 000004
【図３】
2005247374.tif 000005
【図４】
2005247374.tif 000006
【図５】
2005247374.tif 000007
【図６】
2005247374.tif 000008
【図７】
2005247374.tif 000009